(57)【特許請求の範囲】
【請求項１】
カードを含み，該カードは、電池取り出し位置でカードの外縁に凹部を含み；
カードに取り付けられ，開口および開口にアクセスする開位置と、開口を閉じる閉位置との間で移動可能であるドアを含むカバーを含み；
カードとカバーとの間に配置され、複数の受け部を含むトレーを含み，トレーの各受け部は、受け部の外縁でトレーに設けられた凹部を含み；
各々が複数の受け部の各々内に配置された複数の電池を含み；
各々が電池の各々に取り外し可能に取り付けられた複数のタブを含み，各タブは、カバーとタブが取り付けられた電池との間に配置され；
トレーは、受け部の各々を電池取り出し位置で開口と選択的に整合させるために、回転軸を中心にカードおよびカバーに対して回転可能であり、
ドアが開位置にあるとき、電池取り出し位置で受け部内の電池に取り付けられたタブに、カードの凹部を通して、電池取り出し位置で受け部の外縁でトレーに設けられた凹部を通して、およびカバーの前およびカバーの周縁から開口を通してアクセス可能である、電池パッケージ。
【請求項２】
各タブは、タブが取り付けられた電池を通り越して延びる自由端を含む、請求項１の電池パッケージ。
【請求項３】
各タブは、タブが取り付けられた電池を通り越して延びる自由端を含み、
電池取り出し位置で受け部内の電池に取り付けられたタブの自由端は、ドアが閉位置にあるとき前記タブをカードに向かって押し下げる、請求項１の電池パッケージ。
【請求項４】
電池取り出し位置で受け部内の電池に取り付けられたタブの自由端は、ドアが閉位置から開位置に移動するとき、カードから離れる、請求項３の電池パッケージ。
【請求項５】
複数の受け部は、トレーの前側に形成され、ハブは、トレーの後側から延びる掴み部を含み、カードは、開口を含み、掴み部は、トレーを回転させるために、ユーザーが掴み部を掴むように、この開口を貫いて延びる、請求項１の電池パッケージ。
【請求項６】
カバーは、前部分，円周フランジ，および前部分とフランジとの間に延びる環状移行部を有するドーム形本体を含み、
フランジはカードに取り付けられる、請求項１の電池パッケージ。
【請求項７】
カバーの移行部は、出っ張りを含み、タブの上面は、出っ張りの底面に接触する、請求項６の電池パッケージ。
【請求項８】
複数の受け部が互いに間隔を隔て、かつ、各受け部がトレーの回転軸に対して等距離に配置され、トレーおよびカードは、複数の所定位置にトレーの回転を割り出すための複数の割り出し部を含む、請求項１の電池パッケージ。
【請求項９】
カードは、ポリマー層および厚紙層を含み、割り出し部はポリマー層に形成される、請求項８の電池パッケージ。
【請求項１０】
前記回転軸と直交する平面において、前記ドアの中心線は、縦方向の軸に対して前記回転軸を中心として時計回りに１３５度乃至２２５度の位置に配置される、請求項１の電池パッケージ。
【請求項１１】
前記回転軸と直交する平面において、前記ドアの中心線は、縦方向の軸に対して前記回転軸を中心として時計回りに１８０度の位置に配置される、請求項１０の電池パッケージ。
【請求項１２】
各タブは、少なくとも９mmの幅を有する、請求項１の電池パッケージ。
【請求項１３】
カードは、第１部分および第２部分を含み、第１部分および第２部分は、第１部分を第２部分から取り外すように構成されたミシン目によって分離される、請求項１の電池パッケージ。
【請求項１４】
ミシン目は、湾曲される、請求項１３の電池パッケージ。
【請求項１５】
ミシン目は、カバーの外縁と回転軸との間に配置される、請求項１３の電池パッケージ。
【請求項１６】
ドアを横切って延び、かつドアおよびドアに隣接したカバーの部分に取り付けられたいたずら防止用接着ストリップを更に含む、請求項１の電池パッケージ。
【請求項１７】
第１部分および第２部分を含み、第１部分および第２部分が、第１部分を第２部分から取り外すように構成された湾曲ミシン目によって分離されたカードを含み、第１部分は、ディスプレーハンガーを受け入れるように構成された開口を含み、
カードの第２部分に取り付けられたカバーを含み、該カバーは、開口およびドアを含み、ドアは、開口にアクセスする開位置と、ドアが開口を閉じる閉位置との間で移動可能であり、
カードとカバーとの間に配置されたトレーを含み、トレーは、複数の受け部を含み、
各々が複数の受け部の各々内に配置された複数の電池を含み、
複数のタブを含み、各タブは、電池の各々に取り外し可能に取り付けられ、各タブは、カバーとタブが取り付けられた電池との間に配置され、
トレーは、受け部の各々を電池取り出し位置で開口と選択的に整合させるため、回転軸を中心にカードの第２部分およびカバーに対して回転可能であり、
ドアが開位置にあるとき、電池取り出し位置で受け部内の電池に取り付けられたタブに、開口を通してアクセス可能である、電池パッケージ。
【請求項１８】
ミシン目は、カバーの外縁と回転軸との間に配置される、請求項１７の電池パッケージ。
【請求項１９】
カバーは、前部分，円周フランジ，および前部分とフランジとの間に延びる環状移行部分を有するドーム形本体を含み、
フランジは、カードの第２部分に取り付けられる、請求項１７の電池パッケージ。
【請求項２０】
カバーの移行部分は、出っ張りを含み、タブの上面は、出っ張りの底面に接触する、請求項１９の電池パッケージ。
【発明の詳細な説明】
【技術分野】
【０００１】
本発明は、ボタン型電池のパッケージに関し、特に補聴器用電池のパッケージに関する。
【背景技術】
【０００２】
ボタン型電池は、しばしば補聴器に使用され、かくしてサイズが小さく、指の幅の半分よりも小さい直径を有する。その上、小さい電池サイズの結果、電力供給は制限され、補聴器に規則的な間隔で交換を要求する。それらの電池の頻繁な交換に順応するために、電池は、典型的には、複数の電池を収容するパッケージで販売される。
【０００３】
ある周知の電池パッケージは、カードに回転可能に取り付けられたプラスチックカバーを含む。カバーは、カードに通ずる受け部を含む。各受け部は、カードに形成された切り抜きからアクセスされる単一の電池を受け入れる。カバーを回して電池を切り抜きと整合させ、電池を切り抜きから受け部の外に取り出す。しかしながら、電池がカードの切り抜きからアクセスされるため、電池をつまむことが難しく、その代わり、使用者は、パッケージをひっくり返し、パッケージから電池を取り出すのに重力に頼っている。更に、切り抜きがカードの背面にあるから、切り抜きは、パッケージの表を見ている使用者から覆い隠される。
【発明の概要】
【０００４】
発明の１つの実施態様は、電池パッケージに関する。電池パッケージは、カードと、カードに取り付けられたカバーと、カードとカバーとの間に配置されたトレーとを含む。カバーは、開口とドアを含む。ドアは、開口にアクセスする開位置とドアが開口を閉じる閉位置との間で移動可能である。トレーは、多数の受け部を含む。電池パッケージは、多数の電池および多数のタブを更に含む。各電池は、受け部の各々内に配置される。各タブは、電池の各々に取り外し可能に取り付けられる。各タブは、カバーとタブが取り付けられている電池との間に配置される。トレーは、受け部の各々を電池の取り出し位置で開口と選択的に整合させるために回転軸を中心にカードおよびカバーに対して回転可能である。ドアが開位置にあると、電池取り出し位置で受け部内の電池に取り付けられたタブに、カバーの前から開口およびカバーの周縁を通してアクセス可能である。
【０００５】
発明の他の実施態様は、電池パッケージに関する。電池パッケージは、カードと、カバーと、トレーと、多数の電池と、多数のタブと、を含む。カードは、第１部分および第２部分を含み、第１部分および第２部分は、第１部分を第２部分から取り外すように構成されたミシン目によって分離される。第１部分は、ディスプレーハンガーを受け入れるように構成された開口を含む。カバーは、開口およびドアを含み、ドアは、開口にアクセスする開位置と、ドアが開口を閉じる閉位置との間で移動可能である。トレーは、カードとカバーとの間に配置される。トレーは、複数の受け部を含む。各電池は、受け部の各々内に配置される。各タブは、電池の各々に取り外し可能に取り付けられ、各タブは、カバーとタブが取り付けられた電池との間に配置される。トレーは、受け部の各々を電池取り出し位置で開口と選択的に整合させるため、回転軸を中心にカードの第２部分およびカバーに対して回転可能である。ドアが開位置にあると、電池取り出し位置で受け部の電池に取り付けられたタブに、開口を通してアクセス可能である。
発明の他の実施態様は、電池パッケージに関する。電池パッケージは、カード，カードに取り付けられたカバー，およびカードとカバーとの間に配置されたトレーを含む。カバーは，電池およびタブを含む。カバーは、開口およびドアを含む。ドアは、開口にアクセスする開位置とドアが開口を閉じる閉位置との間で移動可能である。トレーは、複数の受け部を含む。電池パッケージは、多数の電池および多数のタブを更に含む。各電池は、受け部の各々内に配置される。各タブが電池の各々に取り外し可能に取り付けられる。各タブは、カバーとタブが取り付けられる電池との間に配置される。各タブは、タブが取り付けられる電池を通り越して延びる自由端を含む。トレーは、受け部の各々を電池取り出し位置で開口と選択的に整合させるために、カードおよびカバーに対して回転可能である。電池取り出し位置で受け部内の電池に取り付けられたタブの自由端は、ドアが閉位置にあるとき、ドアによってカードに向かって押し下げられる。電池取り出し位置で受け部内の電池に取り付けられたタブの自由端は、ドアが閉位置から開位置に移動するときカードから離れる。
【０００６】
発明の他の実施態様は、電池パッケージに関する。電池パッケージは、カード，カードに取り付けられたカバー，およびカードとカバーとの間に配置されたトレーを含む。カバーは，電池およびタブを含む。カバーは、開口およびドアを含む。ドアは、開口にアクセスする開位置とドアが開口を閉じる閉位置との間で移動可能である。トレーは、複数の受け部を含む。電池パッケージは、多数の電池および多数のタブを更に含む。各電池は、受け部の各々内に配置される。各タブが電池の各々に取り外し可能に取り付けられる。各タブは、カバーとタブが取り付けられる電池との間に配置される。各タブは、タブが取り付けられる電池を通り越して延びる自由端を含む。トレーは、受け部の各々を電池取り出し位置で開口と選択的に整合させるため、カードおよびカバーに対して回転可能である。ドアが開位置にあると、電池取り出し位置で受け部内の電池に取り付けられたタブに、少なくとも９０度のアクセス円弧をなす開口をとおしてアクセス可能である。
【図面の簡単な説明】
【０００７】
【図１】例示的実施態様による電池パックの正面図である。
【図２】図１の電池パックの側面図である。
【図３】図１の電池パックの前斜視図である。
【図４】図１の電池パックの分解前斜視図である。
【図５】図１の電池パックの後斜視図である。
【図６】図１の電池パックの分解後斜視図である。
【図７】電池へのアクセスを可能にするように開かれたドアを示す、図１の電池パックの前斜視図である。
【図８】取り外された後カードの一部分を示す、図１の電池パックの前斜視図である。
【図９】例示的実施態様による取り外し可能なタブの正面図である。
【図１０】例示的実施態様による取り外し可能なタブの正面図である。
【図１１】例示的実施態様による取り外し可能なタブの正面図である。
【図１２】例示的実施態様による電池パックの正面図である。
【図１３】例示的実施態様による電池パックの正面図である。
【図１４】図１２の電池パックの側面図である。
【図１５】図１２の電池パックの分解図である。
【図１６】図１２の電池パックのカードの正面図である。
【図１７】例示的実施態様による電池パックの正面図である。
【図１８】例示的実施態様による電池パックの分解図である。
【図１９】いたずら防止用接着ストラップを含む、図１２の電池パックの正面図である。
【発明を実施するための形態】
【０００８】
図１−８を参照すると、電池パック又は電池パッケージ１０が例示的実施態様にしたがって図示されている。電池パック１０は、カード１２と、カード１２に固定される透明なカバー又はブリスター１４と、カード１２とカバー１４との間に配置され、そしてカード１２およびカバー１４に対して回転課のであるトレー又はダイアル１６と、を含む。１つ又はそれ以上のボタン型電池１８は、トレー１６内に受け入れられ、そしてカバー１４の後に収容される。トレー１６およびカバー１４は、比較的低い輪郭で構成され、電池１８を、使用のために電池パック１０から容易に取り外せるようにする。
【０００９】
カード１２は、好ましくは、可撓性材料から形成される。１つの実施態様では、カード１２は、識別印および広告を載せることができるダイカット厚紙カードである。他の実施態様では、カード１２は、ポリマー材料又は材料の組み合わせのような他の材料から形成される。カード１２は、第１すなわち前層２０と第２すなわち後層２２の様な多層から形成されるのがよい。層は、異なる性質（例えば、形状、輪郭、材料など）を有してもよい。例えば、前層２０は、識別印および広告を載せるように構成され、後層２２は、カード１２に構造的剛性を提供するように構成されるのがよい。カード１２の前層２０と後層２２の両方に形成されたディスプレーハンガー開口又はスロット２４が、潜在的ユーザーへの表示のために、電池パック１０をディスプレーハンガーに吊るすのを容易にするために設けられるのがよい。円形開口２６が、カード１２の前層２０および後層２２に形成される。円形開口２６は、トレー１６がカード１２に回転可能に結合されるようにトレー１６の一部分を受け入れるように構成される。図４および図６に示すように、前層２０には、多数の割り出し穴２８が設けられ、割り出し穴２８は、後層２２を貫いて延びるのがよい。割り出し穴２８は、トレー１６の部分を受け入れて電池パッケージ１０内に収容された電池１８の数に関連した、トレー１６の割り出し位置を提供する。割り出し穴２８は、円形開口２６のまわりに等間隔に隔てられている。前層２０および後層２２にカード１２の底縁３２に設けられた切り抜き３０は、カバー１４のドア４３のための隙間を提供する。
【００１０】
カバー１４は、比較的平らな前部分４０、外周フランジ４２および前部分４０とフランジ４２との間に延びる凸形環状移行部分４４を有するドーム形本体である。前部分４０は、カバー１２と実質的に平行である。前部分４０は、中央凹部又は凹み４１を含むのがよい。フランジ４２は、カード１２に付着され、カバー１４とカード１２との間に、トレー１６が配置される内部容積を形成する。例示的実施態様によれば、フランジ４２は、例えば接着剤、加熱シールなどでカード１２の前層２０に結合される。他の実施態様では、フランジ４２は、カード１２の後層２２に結合され、前層２０と後層２２との間に捕捉されてもよい。他の実施態様では、カバー１４は、他の手段で、例えば、カード１２に係合するアンカー又は突起，カード１２に対するカバー１４の回転を阻止する機械的止め具，又は他の任意の止め手段などでカード１２に結合される。
【００１１】
カバー１４は、好ましくは、潜在的ユーザーが電池パック１０内の電池１８を見ることができる透明なプラスチックで少なくとも部分的に成形される。１つの例示的実施態様によれば、カバー１４は全体が透明なプラスチック材料で（例えば、熱成形によって）成形される。他の実施態様では、カバーの一部だけが透明である。例えば、カバー１４は、多数の構成要素で形成され、そのある部分だけが透明プラスチックであり、カバー１４の部分は、（例えば塗料、染料、ラベルなどで）不透明にされてもよい。
【００１２】
カバー１４とカード１２の間の内部容積、並びにトレー１６およびその中に収容された電池１８に、ユーザーは、一体に形成されたドア４３（例えばフラップ，ハッチなど）を有する、カバー１４の開口４５からアクセスする。カバー１４は、フランジ４２の一部がカード１２の底縁３２と一致するようにカード１２に配置される。ドア４３は、一体ヒンジ４６でカバー１４に結合された狭い端と、比較的幅広い遠位端４８とを有する楔形本体である。遠位端４８は、カード１２の底縁３２に沿う切り抜き３０と整合される。ドア４３は、カバー１４の移行部分４２に相当する湾曲凸形部分４９と、カバー１４のフランジに相当し、ドア４３の遠位端４８を含む平らなフランジ又はラッチ５１とを含む。ドア４３の縁４７は、最初、（例えば、開口４５から電池１８にアクセスするのを防止する）閉位置にドア４３を保持するため、縁１７をカバー１４に接合する破断可能なシームにそって又は粘着箇所によってカバー１４に固定されるのがよい。電池１８にアクセスするため、シーム又は粘着箇所を切断して、ドア４３を開位置まで一体ヒンジ４６を中心に回転させる（図７参照）。最初ドア４３を閉位置に保持するのに、粘着箇所を開示したけれども、ドア４３を覆う接着テープのような他の方法を使用してもよい。
【００１３】
シーム又は粘着箇所がいったん切断されるならば、そうではなくドア４３が一体ヒンジ４６を中心に自由に回動するならば、ドア４３は、他の手段により、閉位置に保持されるのがよい。例示的実施態様によれば、閉位置では、ドア４３のフランジ５１は、切り抜き３０と整合し切り抜き縁から切り抜き３０の中へ内方に延びるタブ３４によって適所に保持され、そのため、フランジ５１は、タブ３４の下に配置される。ドア４３を開口位置へ移動させるとき、タブ３４および又はドア４３は、変形してドア４３のフランジ５１を切り抜き３０の外に移動させ、そして一体ヒンジ４６を中心に、カバー１４から遠ざかるように回転させる。同様に、ドア４３を閉位置へ移動させるとき、タブ３４および又はドア４３は変形して、ドア４３のフランジ５１を切り抜き３０の中へ入らせる。ドア４３は、その欠陥位置が開口位置，閉位置又は部分開口位置であるように構成されてもよい。
【００１４】
トレー１６は、電池パック１０の前に向かって（例えば、カバー１４に向かって、カード１２から遠ざかって）開口する多数の電池受け部５０を含む。受け部５０は、回転軸５２から等距離に隔てられ、そして円板形電池１８の１つを受け入れるように個別に寸法決めされている。受け部５０は、電池１８を受け入れる円筒部分５４として示す第１部分と、円筒部分５４からトレー１６の周縁５５に向かって延びる、楔形部分５６として示す第２部分とを含む。受け部５０は２つの方向に、すなわちトレー１６の全面に向かって、そしてトレー１６の周縁５５に向かって開口する。２つのアクセス方向は、９０°のアクセス円弧を提供する。これは、単一方向から（例えば、トレーの後ろ側から）電池へのアクセスを提供するにすぎない周知の電池パッケージと比較して、受け部５０および該受け部が収容する電池１８へのユーザーアクセスを改善する。トレー１６がカード１２とカバー１４との間に配置されるとき、受け部５０の円筒分５４は、一般的には、カバー１４の第１部分４０と整合し、楔形部分５６は、一般的には、カバー１４の移行部分４４と整合する。
【００１５】
各受け部５０は、単一の円板形電池を受け入れるように構成されているとして示されているが、受け部は、発明の範囲を逸脱することなく、１つ以上の電池およびディスク形でない電池を受け入れるように形成されてもよい。トレー１６は、受け部５０を８個含むとして図示され、そのため、電池パック１０は、８個の電池を保持することができる。他の実施態様では、トレー１６は、もっと多くの又はもっと少ない受け部５０を含み、そして電池パックは、もっと多くの又はもっと少ない電池１８を保持することができる。
【００１６】
トレー１６は、カード１２に回転可能に結合される。トレー１６は、トレー１６の後面６２から後方に、そして受け部５０を取り囲む湾曲前面６４から離れて延びる中央ポス６０を含む。中央ボス６０は、トレー１６の回転軸５２と同軸である。中央ボス６０は、カード１２の円形開口２６を貫いて延びる。中央ボス６０は、円形開口２６を構成するカード１２の縁に接触し、トレー１６をカード１２およびカバー１４に対して配置する円筒支持面６３を提供する。１つ又はそれ以上の突起６６が後面６２から後方に延び、そしてカード１２の割り出し穴２８に係合するように構成される。割り出し穴２８は各々好ましくは、トレー１６が軸５２を中心に回転するとき、トレー１６の回転が、電池受け部５０をカバー１４の開口４５と整合するように割り出されるように軸５２を中心に半径方向に隔置される。カード１２に形成され、トレー１６の後面６２から延びる突起６６と係合できる複数の割り出し穴２８を開示したけれども、トレー１６の回転を割り出すための他の方法、例えば、単一の穴に係合する複数の突起を設け、トレー１６に穴を、カード１２に突起を形成するなどを発明の範囲から逸脱することなく使用してもよい。有利には、割り出しはまたトレー１６の不用意な回転を防止し、さもないと、ドア４３が閉位置にないとき、電池１８をカバー１４の開口４５と整合させ、その結果、電池１８がパック１０の外に落ちてしまう。
【００１７】
トレー１６の中央ボス６０は１つ又はそれ以上の掴み部６８を含む。例示的実施態様によれば、掴み部は、中央ボス内に形成され、かつ中央ボス６０と一体に形成された隆起壁６９によって分離された凹部である。掴み部６８は、ユーザーによって掴まれる構造物を提供し、ユーザーが、トレー１６を回転軸５２を中心に回転させて電池１８をカバー１４の開口４５と整合させる。例示的実施態様によれば、隆起壁６９は、人間工学的構造物を提供しかつトレー１６の回転の視覚的キューを提供するように湾曲される。他の実施態様では、掴み部は別なふうに形成されてもよい。例えば、掴み部は、半径方向壁，表面組織，星型構造物又は使用者によって握られる構造物を提供する他の適当なボディによって形成されてもよい。
【００１８】
例示的実施形態によれば、トレー１６の前側には、凹み５８が形成される。凹み５８は、回転軸５２に中心を有し、受け部５０で取り囲まれる。凹み５８は、トレー１６がカード１２とカバー１４との間に配置されるとき、カバーの中央くぼみ４１を受け入れるようにした直径および深さを有する。トレー１６をカード１２とカバー１４との間に挟むと、トレー１６は、円形開口２６を構成するカード１２の縁を中央ボス６０の円筒支持面６３と接触させ、カード１２の前面を後面６２と接触させる。中央ボス６０は、カバー１４の中央くぼみ４１を（例えば、凹み５８に）だけ接触させ、かつトレー１６の周縁５５および前面６４には、カバー１４の移行部分４４から引っ込まされるようにトレー１６をカバー４に対して配置する。したがってカバー１４とトレー１６との間の摩擦は最小にされる。トレー１６は、プラスチック材料で形成され、このプラスチック材料は、トレー１６が回転する低摩擦面を提供する。
【００１９】
電池１８は、補聴器の電池として使用するのに適した亜鉛空気電池のような、当該技術で知られたどんな電池でもよい。電池パック１０は、広範囲のサイズ（例えば、直径，厚さなど）の電池用に構成される。電池パック１０は、ボタン型電池を８個収容するように示されているが、他の実施態様では、電池パック１０は、任意の数の電池を収容するように構成されてもよい。
【００２０】
例示実施態様によれば、粘着タブ７０が、大気酸素が電池１８に入る、電池１８の開口を覆うことによって亜鉛空気電池の早期放電を防止するために各電池に固定される。有利には、タブ７０は、電池式器具に電池１８を挿入するとき、電池１８の取り扱いと位置決めを簡単にする。好ましくは、各タブ７０の自由端７２は、受け部５０の第２楔形部分５６に受け入れられる。タブ７０は、好ましくは、非多孔性の比較的堅い材料で形成される。例えば、タブ７０は、プラスチックフィルム，金属箔，箔裏打ちフィルム，又は他の任意適当な材料で形成される。タブ７０は、電池パック１０の前側に現れ、そして透明なカバー１４を通して見える。各タブ７０は、自由端７２および電池１８に固定される固定端７３を含む。図１に示すように、タブ７０は、２つの端７２と７３の間の長さ延びる。タブ７０は、潜在的なバイヤーに（例えばトレードドレス，電池１８の数など）可視キューを提供するために着色されてもよい。タブ７０は、カード１２の色に合うように着色されるのがよい。ある実施態様では、タブ７０は、該タブ７０をユーザーによって掴み易くするためにエンボスされ又は表面組織が付けられる。掴み部分７９は、電池１８を通り越して自由端７２まで延びるタブ７０の少なくとも一部分である。
【００２１】
図９−１１を参照すると、タブ７０のサイズおよび形状は変更してもよい。タブ７０は、掴み部分７９および電池部分８１を含む。電池部分８１は、電池部分８１が電池１８に取り付けられるとき、電池１８の中心に合わせて並ぶようになっている。（最も広い箇所で計った）掴み部分７９の幅７５は、好ましくは、９mm又はそれよりも長い。在来の電池パックに使用されたタブの幅は、８．２５mm又はそれ以下である。タブ７０の増加幅は、掴み部分７９の表面積を大きくし、タブを、ユーザーが在来の電池パックに使用されたタブよりも掴み易くする。
【００２２】
電池１８およびこれに取り付けたタブ７０が、電池トレー１６の受け部５０内に受け入れられるとき、タブ７０は、タブ７０の自由端７２がトレー１５の周縁５５の方に延びるように外方に延びる。ある実施態様では、タブ７０の自由端７２は、トレー１６の前面６４を超えて延びてもよい。自由端７２は、カバー１４の移行部分４４によって下方に押し下げられる。電池１８およびタブ７０は、前面６４に関して引っ込まされ、特定の受け部５０がカバー１４の開口４５と整合しないときには、トレー１６が軸５２を中心に回転するとき、タブ７０は、トレー１６の前面６４とカバー１４との間の隙間に入らなくなる。
【００２３】
図７を参照すると、タブ７０およびそれを取り付けた電池１８が受け入れられる受け部５０がカバー１４の開口４５と整合し、そしてドア４３が開かれるとき、タブ７０を形成する材料の堅さにより、タブの自由端７２をトレー１６から前方に跳ね返らせる。タブ７０は、起き上がり、したがって、ユーザーがタブ７０を掴んでこれを取り付けた電池１８を取り出すために、よりアクセス可能である。タブ７０とトレー１６との間の隙間は、ユーザーによるタブ７０およびこれを取り付けた電池１８のトレー１６からの取り出しを容易にし、ユーザーがタブ７０の自由端７２を掴んで、電池１８を受け部５０から取り出すことを容易にする。カバー１４およびカバー１４の下に収容されたトレー１６のドーム形状は、ユーザーによる電池１８の都合のよい取り出しに備える。ドアがカバー１４の前部分４０から傾斜した移行部分４４を経て円周フランジ４２まで延びているから、開口４５は、電池１８およびタブ７０へのアクセスを、パック１０の前面からばかりでなくパック１０の底周縁から側方にも可能にする。
【００２４】
図１−７を参照すると、使用中、トレー１６を回転軸５２を中心に回転させて、トレー１６の受け部５０に収容された電池１８およびタブ７０を、（例えば、１つ又はそれ以上の突起６６とそれに対応する割り出し穴２８との相互作用により）ドア４３と整合させる。ユーザーは、指を使ってドア４３に触れ、ドア４３が一体ヒンジ４６を中心にカバーに対して移動するようにドア４３を解放する。最初に、これは、ドア４３の縁をカバー１４に当初固定するのに用いられた粘着箇所又は他の止め手段を切ることを伴う。次いでユーザーはタブ７０を掴んで電池１８を受け部５０から取り出す。パック１０は、ドア７０を閉位置までヒンジ４６を中心に回動させて閉じられ、閉位置では、ドアの遠位端４８は、切り抜き３０の中へ通り、タブ３４で保持される。タブ３４は、他の電池１８を欲するまでドア４３を閉位置に保持する。ユーザーは、この工程を繰り返す。ユーザーは、一方の手でパック１０の周縁又は外縁を掴み、パック１０の後ろ側から他方の手で掴み部６８を介してトレーの中央ボス６０を回転させる。この構成により、ユーザーは、電池１８を取り出し位置へ進める過程全体にわたって電池１８を眺めることができる。
【００２５】
図８を参照すると、例示的実施態様によれば、カード１２の一部分は取り外し可能でもよい。例えば、カード１２の頂部分７４は、湾曲ミシン目７８に沿ってカバー１４およびトレー１６に連結されたカード１２の底部分７６から取り外し可能であるでもよい。図示したように、湾曲ミシン目７８は、円の一部である。他の実施態様では、ミシン目７８はその他の形状（例えば直線）でもよい。湾曲ミシン目７８は、部分７４の取り外しに続くカード１２の形状をカバー１４の形状と合致させることによって電池パック１０のコンパクトな大きさの取り外し可能な部分を見込む。カード１２の頂部分を取り外すことによって、電池パック１０の残部は、ポケット、ハンドバッグ、スーツケース又は他の容器などに入れてより容易に持ち運べる、よりコンパクトな別個のパッケージを提供する。このような方法で保管されるとき、カバー１４の平滑な低輪郭形状は、電池パック１０の底部分７６が他のものにひっかかるようになったり、不用意に開くようになったりするおそれを減ずる。図１に示すように、ミシン目７８は、カバー１４よりも小さい直径を有し、そのため、ミシン目７８はカバー１４のフランジ４２の下に配置される。ミシン目７８は、カバー１４の外縁と回転軸５２との間に配置される。これは、カバー１４の平滑な外縁が、カードの頂部分７４が取り外された後ミシン目７８によって形成された縁の外側に配置され、電池パック１０の底部分７６が他のものにひっかかるようになったり、不用意に開くようになるおそれを確実に減ずる。
【００２６】
図１２−１６を参照すると、例示的実施態様による電池パック１１０が図示されている。電池パック１１０の多くの部分は電池パック１０のものと同様である。電池パック１１０は、カード１１２と、カード１１２に固定される透明なカバー又はブリスター１１４と、カード１１２とカバー１１４との間に配置され、そして回転軸１５２を中心にカード１１２およびカバー１１４に対して回転できるトレー又はダイアル１１６と、を含む。１つ又はそれ以上のボタン型電池１１８がトレー１１６内に受け入れられ、そしてカバー１１４の下に収容される。
【００２７】
図１２に示すように、カバー１１４のドア１４３は、図１に示すカバー１４のドア４３の位置から反時計まわりに４５°に配置される。ドア１４３を半分に分割する中心線１２５は、軸１５２と、ハンガースロット１２４の幅１３１の中間点１２９とを含む平面１２７に対して４５度の内角αに位置決めされる。図１３に示すように、カバー１１４のドア１４３は、図１に示すカバー１１４のドア４３の位置から時計まわりに４５度に配置される。ドア１４３を半分に分割する中心線１２５は、軸１５２と、ハンガースロット１２４の幅１３１の中間点１２９とを含む平面１２７に対して４５度の内角βに位置決めされる。軸１５２がＺ軸であり、Ｙ軸が平面１２７に見られる座標系では、ドア１４３は好ましくは、Ｚ軸（軸１５２）に対して１３５度（図１２）乃至２２５度（図１３）の範囲内に配置される。図１に示すドア４３はＺ軸（軸５２）に対して１８０度に配置される。ドア１４３をこれらの場所に位置決めすることは、ドア４３のラッチ５１と比較してフランジ又はラッチ１５１の半径方向の深さを増大させる。また、カード１１２およびカバー１１４は、互いに垂直に配置された２つの真っ直ぐな縁１３３と１３５を含むように形成される。これらの真っ直ぐな縁１３３および１３５は、電池パック１１０と容器の面との間に大きくて平らな接触面積を提供することによってボックス又は他の容器に詰められるとき、電池パック１１０の強さを増すのを助ける。図１，１２および１３の実施態様では、軸５２又は１５２は、ドア４３又は１４３とカード１２又は１１２の取り外し可能な頂部分７４又は１７４との間に配置される。
【００２８】
図１４に示すように、カバー１１４は、比較的平らな前部分１４０、外周フランジ１４２および前部分１４０とフランジ１４２との間に延びる環状移行部分１４４を有するドーム形本体である。前部分１４０は、カバー１１２と実質的に平行である。フランジ１４２は、カード１１２に取り付けられ、カバー１１１４とカード１２との間に、トレー１１６が配置される内部容積を形成する。移行部分１４０は、カバー１１４の円周のまわりに延びる段部，突起又は出っ張りを含む。出っ張り１１９は、トレー１１６が回されるとき、タブ１７０を案内するのを助ける。出っ張り１１９の底面は、タブ１７０の上面に係合し、そのため、タブ１７０は、トレー１１６が回されるとき、出っ張り１１９に沿って乗る。トレーが回転するとき、出っ張り１１９の底面とタブ１７０の上面との間の接触は、タブ１７０の移動を円滑にするのを助け、電池１１８を受け部１５０から追い出すことがある電池１１８の押しを制限する。
【００２９】
図１５に示すように、電池パックの本体（すなわち電池１１８およびタブ１７０以外の要素）は、３つのピース、ポリマーカード１１２，カバー１１４，トレー１１６からなる。トレー１１６は、円筒部分１５４および楔形部分１５６を含む多数の電池受け部１５０を含む。トレー１１６の外縁又は周縁若しくは円周１５５は、各受け部１５０で凹部又は切り抜き１６１によって凹まされる。切り抜き１６１の結果、各受け部１５０で（回転軸１５２に対する）トレー１１６の半径は、隣接した受け部１５０間のトレー１１６の半径よりも小さくなる。切り抜き１６１は、ユーザーの指によるタブ１７０へのアクセスを提供する。カード１１２の底部分１７６は、カード１１２の外縁１６５に凹部又は切り抜き１７７を含み、この切り抜きは、電池取り出し位置でカバー１１４のドア１４３と整合する。図１６に示すように、切り抜き１７７は、幅１８３および深さ１８５を有する。好ましくは、幅１８３は、１５mmより大きい。在来の電池パックへのアクセスを提供するドアの幅は、たった約９mmである。増大した幅１６３は、ユーザーの指（親指を含む）へのより容易なアクセスを提供し、電池パックから電池を取り出すことを容易にする。またトレー１１６に切り抜き１６１をおよびカード１１２に切り抜き１７７を設けることは、ドア１４３が３方向に開いているとき、ドア１４３と整合した受け部１５０を、閉じられたときドア１４３によって占有される空間を通して上から、閉じられるときドア１４３によって占有される空間を通して、かつトレー１１６の周縁１５５の切り抜き１６１を通して側から、カード１１２の切り抜き１７７およびトレー１１６の切り抜きを通して下から、ユーザーによるアクセスのために、開にする。アクセスの３方向は、９０°以上の上から下までアクセスの弧を提供する。これは、単一方向から、（例えば、トレーの後ろ側から）電池へのアクセスを提供するに過ぎない周知の電池パッケージと比較して、ドア１４３と整合した受け部１５０および受け部が収容する電池１１８へのユーザーのアクセスを改善する。ポリマーカード１１２は、ドア１４３の反復掛け止めおよび掛け外しにより形状を失わない、さもなければ損傷されないロックタブ１３４を提供する。割り出し穴１２８は、トレー１１６をカード１１２に対して軸１５２を中心に回転させるために、トレー１１６の一部を受け入れるための、カード１１２を貫いて開口１２６に切欠きとして形成される。
【００３０】
図１７を参照すると、電池パックのカード２１２が例示的実施態様により図示されている。カード２１２は、部分２７４から取り外せる２つの部分２７６Ａおよび２７６Ｂを含む。湾曲ミシン目２７８は、部分２７６Ａおよび２７６Ｂを部分２７４から分離する。それによって、カード２１２は２つの電池パックを提供する。
【００３１】
図１８を参照すると、電池パック３１０が例示的実施態様により図示されている。電池パック３１０の本体（すなわち電池３１８およびタブ３７０以外の構成要素）は、４つのピース、すなわちポリマー層３１３および紙層３１７を有するカード３１０と、カバー３１４と、トレー３１６とからなる。ポリマー層３１３は、特にロックタブ３３４および割り出し穴３２８のために、厚紙層３１７に追加の強さを与える。図示したように、割り出し穴３２８は、開口３２６に切欠きとして形成される。ある実施態様では、ポリマー層３１３は、互いに分離しうる頂部分３７４および底部分３７６を含む。他の実施態様では、ポリマー層３１３は、底部分３７６だけを含み、それによって、頂部分３７４に必要な材料を除去しながら、ロックタブ３３４および割り出し穴３２８に追加の強さを提供する。ポリマー層３１３は、厚紙層３１７に（例えば、超音波溶接，熱接着，接着剤などによって）取り付けられる。
【００３２】
図１９を参照すると、いたずら防止用接着ストリップ１１５がドア１４３を横切って、ドア１４３に隣接したカバー１１４の部分に取り付けられている。ストリップ１１５は、ドア１４３を横切って延び、そして、ドア１４３およびドア１４３に隣接したカバー１１４の部分に取り付けられる。ドア１４３が最初開けられるときストリップ１１５は破けてドア１４３が開けられていたことを指示する。小売り環境では、破られたストリップ１１５は、（例えば、電池パック１１０から１個又はそれ以上の電池を盗もうとして）電池パック１１０の代金を払うことなく、誰かがドア１４３を開けたことを小売主に示すことで電池パックにいたずらすることを指示する。
【００３３】
種々の実施態様を説明するために個々に使用された用語「例示的」は、このような実施態様が可能な例、代表，および又は可能な実施態様の実例を指示ものであり、（係る用語は、このような実施態様が必ず死せ異例又は斎場の例であることを含むものではない）ことに気づくべきである。
【００３４】
ここに使用されたような用語「結合した」，「連結した」などは、２つの部材を互いに直接又は間接的に接合することを意味する。この様な接合は、静止（例えば、恒久）であってもよいし或いは可動（例えば、移動可能，取り外し可能又は解放可能）であってもよい。このような接合は、２つの部材で又は互いに単一の一体本体として一体に形成される２つの部材と追加の中間部材で、或いは、２つの部材で、又は互いに取り付けられる２つの部材と追加の中間部材でなし遂げられる。
【００３５】
要素の位置（例えば「頂」，「底」，「上」，「下」，「前」，「後」などは、図に示すように、種々の要素の向きを説明するのに使用される。
【００３６】
種々の例示的実施態様に示すようにボタン型電池パックの構造および構成は、例示に過ぎないことを気づくことが重要である。２，３の実施態様だけを詳細に説明したけれども、この開示を検討する当業者は、多くの変形例、（例えば、種々の要素のサイズ、寸法形状、構造，形状および割合パラメーターの値，取付構造，材料，色，向きの使用など）が、ここに記載した主題の新規な教示および利点から実質的に逸脱することなく可能であることを容易に認識するであろう。例えば、一体に形成されたものとして示す要素は、多数の部品又は要素で構成され、要素の位置は逆であってもよいし或いは変更してもよく、別々の要素又は位置の性質又は数を変更してもよい。工程の順番又は順序又は段階の方法を、代替的実施態様により変更又は順序変えしてよい。他の代替、変形，変更，および省略も、本発明の範囲から逸脱することなく、種々の例示的実施態様の設計、操作条件および構成においてなされてよい。
【図１】
0006765385.tif 000002
【図２】
0006765385.tif 000003
【図３】
0006765385.tif 000004
【図４】
0006765385.tif 000005
【図５】
0006765385.tif 000006
【図６】
0006765385.tif 000007
【図７】
0006765385.tif 000008
【図８】
0006765385.tif 000009
【図９】
0006765385.tif 000010
【図１０】
0006765385.tif 000011
【図１１】
0006765385.tif 000012
【図１２】
0006765385.tif 000013
【図１３】
0006765385.tif 000014
【図１４】
0006765385.tif 000015
【図１５】
0006765385.tif 000016
【図１６】
0006765385.tif 000017
【図１７】
0006765385.tif 000018
【図１８】
0006765385.tif 000019
【図１９】
0006765385.tif 000020